(57)【要約】【課題】本発明の課題は、空調機の種類や管理環境にかかわらず空調機の無駄な運転を特定することである。【解決手段】運転監視装置１０は、運転データを直接収集する第１の空調機３０又は運転データを直接収集しない第２の空調機４０の運転状態を監視する。データ取得部１１は、第１の空調機の運転データ又は第２の空調機の消費電力量データを取得する。第１判定部１３は、消費電力量データの値が基準消費電力量の所定値以下であるかどうかを判定し、第２判定部１４は、運転データの値が基準運転データの値の所定範囲内であるかどうかを判定する。データ生成部１５は、消費電力量データの値が所定値以下でないと第１判定部が判定した場合、消費電力量データの値と前記所定値との差分を示す無駄運転データを生成し、運転データの値が所定範囲内でないと第２判定部が判定した場合、運転データと所定範囲との差分を示す無駄運転データを生成する。出力部１２，１８は、無駄運転データを出力する。【選択図】図２
2010033279.tif 000002
【特許請求の範囲】
【請求項１】
運転データを直接収集する第１の空調機（３０）又は運転データを直接収集しない第２の空調機（４０）の運転状態を監視する運転監視装置（１０，１１０）であって、
前記第１の空調機の運転データ、又は前記第２の空調機の消費電力量データを取得するデータ取得部（１１）と、
前記消費電力量データ、又は前記運転データを格納する格納部（２１、２３）と、
前記消費電力量データの値が、基準消費電力量の所定値以下であるかどうかを判定する第１判定部（１３）と、
前記運転データの値が、基準運転データの値の所定範囲内であるかどうかを判定する第２判定部（１４）と、
前記消費電力量データの値が前記所定値以下でないと前記第１判定部が判定した場合、前記消費電力量データの値と前記所定値との差分を示し、前記運転データの値が前記所定範囲内でないと前記第２判定部が判定した場合、前記運転データと前記所定範囲との差分を示す無駄運転データを生成するデータ生成部（１５）と、
前記無駄運転データを出力する出力部（１２，１８）と、
を備える、運転監視装置。
【請求項２】
前記運転データは、前記第１の空調機（３０）の運転のON／OFF、設定温度及び消費電力量のうち少なくとも一つを含む、
請求項１に記載の運転監視装置。
【請求項３】
前記無駄運転データは更に、対応する前記第１又は第２の空調機（３０，４０）の識別情報、及び対応する運転時刻を含む、
請求項１に記載の運転監視装置。
【請求項４】
前記第２の空調機（４０）の空調対象空間の室温を取得する室温取得部（１１）と、
前記消費電力量データの値が前記所定値以下であると前記第１判定部（１３）が判定した場合、前記消費電力量が計測された時間における前記室温を推定設定温度として取得する設定温度推定部（１１６）と、
を更に備え、
前記第２判定部（１４）は、前記推定設定温度の値が前記所定範囲内かどうかを判定する、
請求項２に記載の運転監視装置。
【請求項５】
前記運転監視装置（１０，１１０）と。
前記運転監視装置とネットワーク（６０）を介して接続され、前記運転データを収集し前記運転監視装置に送信する制御装置（３１）に接続された前記第１の空調機（３０）と、
前記第２の空調機（４０）と、
前記第２の空調機の消費電力量を計測する電力計測器（４１）と、
前記第２の空調機の消費電力量を取得し、前記ネットワークを介して前記運転監視装置に送信する送信装置（５０）と、
を備える、空調機の運転監視システム（１，１００）。
【請求項６】
前記第２の空調機（４０）の空調対象空間の室温を計測する室温計測器（１４２）を更に備え、
前記送信装置（５０）は、前記室温のデータを、前記ネットワーク（６０）を介して前記運転監視装置（１０）に送信する、
請求項５に記載の運転監視システム（１，１００）。
【請求項７】
前記ネットワーク（６０）を介して、前記運転監視装置（１０）に接続される端末機器（７０）を更に備え、
前記端末機器は、
前記運転監視装置の前記出力部（１２）より送信される前記無駄運転データを受信する受信部（７４）と、
前記無駄運転データを表示する表示部（７６）と、
を有する、
請求項５に記載の運転監視システム（１，１００）。
【請求項８】
運転データを直接収集する第１の空調機（３０）又は運転データを直接収集しない第２の空調機（４０）の運転状態を監視する運転監視方法であって、
前記第１の空調機の運転データ、又は前記第２の空調機の消費電力量データを取得するデータ取得ステップと、
前記消費電力量データ、又は前記運転データを格納する格納ステップと、
前記消費電力量データの値が、基準消費電力量の所定値以下であるかどうかを判定する第１判定ステップと、
前記運転データの値が、基準運転データの値の所定範囲内であるかどうかを判定する第２判定部ステップと、
前記消費電力量データの値が前記所定値以下でないと前記第１判定部が判定した場合、前記消費電力量データの値と前記所定値との差分を示し、前記運転データの値が前記所定範囲内でないと前記第２判定部が判定した場合、前記運転データと前記所定範囲との差分を示す無駄運転データを生成するデータ生成ステップと、
前記無駄運転データを出力する出力ステップと、
を備える、運転監視方法。
【発明の詳細な説明】
【技術分野】
【０００１】
本発明は、空調機の運転監視装置、運転監視システム及び運転監視方法に関する。
【背景技術】
【０００２】
従来、ビルなどの建造物に設置された空調設備の運転状態を遠隔より監視し、制御するシステムが知られている。また、このような運転監視システムにおいては、空調機の運転データ、特に電力消費量データを収集、分析し、無駄な電力消費をユーザーに通知することが行われている。（例えば、特許文献１参照）。
【特許文献１】特開２００７−１７２４０６号公報
【発明の開示】
【発明が解決しようとする課題】
【０００３】
運転データは、各空調機やその制御装置から遠隔の監視装置に送信され収集される。しかし、空調機から運転データの出力が得られなかったり、或いは監視装置との通信規格が合わないことにより運転データを直接収集できなかったりする場合ある。例えば、ユーザーが使用している空調機に、管理対象でない他社の空調機が存在する場合である。他社の空調機からは直接運転データを自社の監視装置によって収集できない。しかし、ユーザーとしては、空調機の種類や管理環境に限らず、自身が使用する空調機の運転状態をまとめて把握したいという要望が大きい。
【０００４】
そこで、本発明は、空調機の種類や管理環境にかかわらず空調機の無駄な運転状態を特定することを目的とする。
【課題を解決するための手段】
【０００５】
第１発明に係る運転監視装置は、運転データを直接収集する第１の空調機又は運転データを直接収集しない第２の空調機の運転状態を監視する運転監視装置であって、データ取得部と、格納部と、第１判定部と、第２判定部と、データ生成部と、出力部と、を備える。データ取得部は、第１の空調機の運転データ、又は第２の空調機の消費電力量データを取得する。格納部は、消費電力量データ、又は運転データを格納する。第１判定部は、消費電力量データの値が、基準消費電力量の所定値以下であるかどうかを判定する。第２判定部は、運転データの値が、基準運転データの値の所定範囲内であるかどうかを判定する。データ生成部は、消費電力量データの値が所定値以下でないと第１判定部が判定した場合、消費電力量データの値と所定値との差分を示す無駄運転データを生成する。データ生成部はまた、運転データの値が所定範囲内でないと第２判定部が判定した場合、運転データと所定範囲との差分を示す無駄運転データを生成する。出力部は、無駄運転データを出力する。
【０００６】
ここで、基準運転データとは、例えば、一日の運転スケジュール（設定温度、消費電力量等）、やユーザーによって決められた運転ON／OFF時間の基準データを含む。基準消費電力量とは、例えば、一日の運転スケジュールや運転ON／OFF時間から決められた消費電力量を含む。また、基準運転データの値の所定範囲内とは、例えば、運転データが消費電力量であれば所定値以下であること、設定温度であれば冷房運転の場合所定値以上、暖房運転の場合所定値以下であること、運転ＯＮ／ＯＦＦであれば一致することをいう。出力部は、情報を表示する表示部や、外部機器へ情報を送信する送信部を含む。
【０００７】
ここでは、空調機の種類や管理環境にかかわらず空調機の無駄な運転状態を特定することができる。
【０００８】
第２発明に係る運転監視装置は、第１発明の運転監視装置であって、運転データは、第１の空調機の運転のON／OFF、設定温度及び消費電力量のうち少なくとも一つを含む。
【０００９】
第３発明に係る運転監視装置は、第１発明の運転監視装置であって、無駄運転データは更に、対応する第１又は第２の空調機の識別情報、及び対応する運転時刻を含む。
【００１０】
第４発明に係る運転監視装置は、第２発明の運転監視装置であって、第２の空調機の空調対象空間の室温を取得する室温取得部と、消費電力量データの値が所定値以下であると第１判定部が判定した場合、同消費電力量が計測された時間における室温を推定設定温度として取得する設定温度推定部と、を更に備える。また、第２判定部は、推定設定温度の値が所定範囲内かどうかを判定する。
【００１１】
ここでは、運転データを直接収集しない空調機について、消費電力量だけでなく設定温度の観点からの無駄運転を特定できる。
【００１２】
第５発明に係る運転監視システムは、第１発明の運転監視装置と、第１の空調機と、第２の空調機と、電力計測器と、送信装置と、を備える。第１の空調機は、運転監視装置とネットワークを介して接続され、運転データを収集し運転監視装置に送信する制御装置に接続されている。電力計測器は、第２の空調機の消費電力量を計測する。送信装置は、第２の空調機の消費電力量を取得し、ネットワークを介して運転監視装置に送信する。
【００１３】
第６発明に係る運転監視システムは、第５発明の運転監視システムであって、第２の空調機の空調対象空間の室温を計測する室温計測器を更に備え、送信装置は、室温のデータを、ネットワークを介して運転監視装置に送信する。
【００１４】
第７発明に係る運転監視システムは、第５発明の運転監視システムであって、ネットワークを介して、運転監視装置に接続される端末機器を更に備える。同端末機器は、運転監視装置の出力部より送信される無駄運転データを受信する受信部と、無駄運転データを表示する表示部と、を有する。
【００１５】
第８発明に係る運転監視方法は、運転データを直接収集する第１の空調機又は運転データを直接収集しない第２の空調機の運転状態を監視する運転監視方法であって、データ取得ステップと、格納ステップと、第１判定ステップと、第２判定部ステップと、データ生成ステップと、出力ステップと、を備える。データ取得ステップでは、第１の空調機の運転データ、又は第２の空調機の消費電力量データを取得する。格納ステップにおいては、消費電力量データ又は運転データを格納する。第１判定ステップにおいては、消費電力量データの値が、基準消費電力量の所定値以下であるかどうかを判定する。第２判定ステップにおいては、運転データの値が、基準運転データの値の所定範囲内であるかどうかを判定する。データ生成ステップにおいては、消費電力量データの値が所定値以下でないと第１判定部が判定した場合、消費電力量データの値と所定値との差分を示す無駄運転データを生成する。データ生成ステップにおいてはまた、運転データの値が所定範囲内でないと第２判定部が判定した場合、運転データと所定範囲との差分を示す無駄運転データを生成する。出力ステップにおいては、無駄運転データを出力する。
【発明の効果】
【００１６】
本発明によれば、空調機の種類や管理環境にかかわらず空調機の無駄な運転状態を特定できる。
【発明を実施するための最良の形態】
【００１７】
１．第一実施形態
１．１．運転監視システムの全体構成
図１は、本発明の第一実施形態に係る空調機の運転監視システム１を示す。
【００１８】
運転監視システム１は、運転監視装置１０と、施設３内に配された第１空調機３０及び第２空調機４０と、電力計測器４１と、データ送信装置５０と、端末機器７０と、を備える。
【００１９】
運転監視装置１０は、遠隔の管理センター２に配され、複数箇所の空調機の運転監視を行う中央管理装置である。
【００２０】
運転監視装置１０は、第１空調機３０の制御装置であるアダプタ装置３１とネットワーク６０を介して通信可能に設置されている。運転監視装置１０はまた、第２空調機４０のデータを収集し、送信するデータ送信装置５０とネットワーク６０を介して通信可能に設置されている。
【００２１】
第１空調機３０は、例えば運転監視装置１０を保有する管理会社により管理された空調機であって、アダプタ装置３１から直接運転データを取得できる空調機である。第２空調機４０は、例えば他社により管理された空調機であって、運転監視装置１０が直接運転データを取得できない空調機である。
【００２２】
電力計測器４１は、対象の第２空調機４０の消費電力量を計測し、データ送信装置５０に送信する。アダプタ装置３１及びデータ送信装置５０は、施設３内のネットワークから所定のインターフェース機器を介してネットワーク６０及び運転監視装置１０と通信可能に設置されている。
【００２３】
端末機器７０は、空調機３０，４０のユーザーの端末機器等であり、ネットワーク６０を介して運転監視装置１０と通信可能な機器である。
【００２４】
１．２．運転監視装置
図２は、第１実施形態に係る運転監視装置１０を示す。
【００２５】
運転監視装置１０は、例えば次のような構成を有するコンピュータである。電力消費判定部１３、運転データ判定部１４及びデータ生成部１５は、ＲＯＭやハードディスク等に保存されたプログラムとそのプログラムを実行するＣＰＵ１９により実現される。受信部１１及び送信部１２は、ＣＰＵ１９の指令によりデータを入出力するＩ／Ｏにより実現される。入力部１７は、キーボードやマウス等である。表示部１８は、液晶ディスプレイ等のモニターである。
【００２６】
運転監視装置１０は、受信部１１と、送信部１２と、電力消費判定部１３と、運転データ判定部１４と、データ生成部１５と、入力部１７と、表示部１８とを有する。
【００２７】
受信部１１は、ネットワーク６０を介して第１空調機３０のアダプタ装置３１やデータ送信装置５０から消費電力量データや運転データ等を取得する。送信部１２は、生成した無駄運転データ等を端末機器７０等に送信する。
【００２８】
電力消費判定部１３は、後述するように、空調機毎にデータベース２０に格納された消費電力量データと基準消費電力量とに基づき、当該空調機に無駄な運転による電力消費があるかどうかを判定する。運転データ判定部１４は、後述するように、空調機毎にデータベース２０に格納された運転データと基準運転データに基づき、当該空調機に無駄な運転がなかったかどうかを判定する。データ生成部は、電力消費判定部１３及び運転データ判定部１４による、無駄な運転による電力消費又は無断な運転があったとの判定に基づき、無駄運転データを生成する。
【００２９】
入力部１７は、ユーザーによりＣＰＵに対する各種の指令をユーザーによる操作により入力する。表示部１８は、ＣＰＵ１９からの指令により所定のデータを表示する。
なお、上述の運転監視装置１０の構成は一例であり、本発明は上記構成に限定されない。
【００３０】
１．２．１．データベース
図２に示すように、データベース２０は、運転監視装置に接続されたハードディスク等のストレージ機器に格納されている。データベース２０は、少なくとも第２空調機４０の消費電力量データを格納する消費電力量データ格納部２１と、第２空調機４０の基準消費電力量を格納する基準消費電力量格納部２２と、第１空調機３０の基準運転データを格納する基準運転データ格納部２３と、第１空調機３０の運転データを格納する運転データ格納部２４と、データ生成部１５で生成された無駄運転データ格納部２５とを備える。
【００３１】
基準消費電力量は、第２空調機４０に対する基準消費電力量であり、運転監視装置１０の入力部１７やネットワーク６０を介した通信により入力される。基準運転データは、第１空調機３０に対する基準運転データであり、運転監視装置１０の入力部１７やネットワーク６０を介した通信により入力される。消費電力量データの消費電力量は、第２空調機４０に接続された電力計測器４１により計測され、データ送信装置５０及びネットワーク６０を介して運転監視装置１０で受信された消費電力量である。運転データは、主に第１空調機３０のアダプタ装置３１で所定時間毎（例えば、１時間毎）収集され、データ送信装置５０及びネットワーク６０を介して運転監視装置１０で受信された運転データである。
図３及び図４に示すように、各データは次のように格納される。なお、各データはユーザー毎や施設毎のデータである。
図３（ａ）に示すように、基準消費電力量は、少なくとも対象時間とその時間における基準消費電力量のデータを含む。この基準消費電力量は、ユーザーが設定する運転スケジュールや運用規則等に基づき設定される。例えば、営業時間外であって人がいない時間帯は運転をＯＦＦにすることになるため、基準消費電力量は０ｋＷに近い値が設定される。
図３（ｂ）に示すように、基準運転データは、対象時間とその各時間における基準運転データを含む。基準運転データは、例えば、基準設定温度、基準消費電力量、運転のＯＮ／ＯＦＦを含む。例えば、冷房運転時において、営業時間外に人が少なくなる時間帯には、通常時より高い基準設定温度とする。
図４（ａ）に示すように、消費電力量データは、対象となる第２空調機４０の識別情報と、データの計測時間、その消費電力量を含む。図４（ｂ）に示すように、運転データは、対象となる第１空調機３０の識別情報と、データの計測時間、その消費電力量、設定温度及び電源のＯＮ／ＯＦＦを含む。
図４（ｃ）は、データ生成部１５で生成された無駄運転データの一例を示す。無駄運転データは、無駄運転と判定された第１又は第２空調機３０、４０の識別情報と、その無駄運転時刻を含む。無駄運転データは更に、基準消費電力量又は基準運転データとの差分を含む。この差分とは、消費電力量と基準消費電力量との差分値、設定温度と基準設定温度との差分値、運転ＯＮ／ＯＦＦの不一致を含む。
なお、上述のデータベース２０の構成は一例であり、本発明は上記構成に限定されない。
【００３２】
１．３．第１及び第２空調機
第１空調機３０及び４０は、例えば、個別空調方式の室内機、室外機や、セントラル空調方式による大型空調機である。
【００３３】
１．４．第１空調機のアダプタ装置
図５に示すアダプタ装置３１は、第１空調機３０の制御装置であり、第１空調機３０が設置された施設３内の空調用通信線４の一ノードとして配されている。アダプタ装置３１は、ルーター等のネットワークインターフェース機器を介してネットワーク６０及び運転監視装置１０に通信可能に設置されている。なお、本実施形態では、アダプタ装置３１は、各空調機３０に接続されている。アダプタ装置３１は、受信部３２と、送信部３３と、制御部３４と、メモリ３５とを備える。
【００３４】
受信部３２は、ネットワーク６０を介して運転監視装置１０から制御データやその他所定のデータを受信する。受信部３２はまた、センサ等を介して所定時間毎（例えば、１時間毎）に空調機３０の運転データを受信する。制御部３４は、運転監視装置１０より受信した制御データに従って空調機３０の各部に対する制御を実行する指令を出す。受信した運転データは、メモリ３５に蓄積する。送信部３３は、メモリ３５に蓄積した運転データを運転監視装置１０に送信する。この送信間隔は一定であり、例えば３時間毎に運転監視装置１０に送信する。メモリ３５は、空調機３０からの運転データを蓄積する。メモリ３５はまた、運転監視装置１０から受信した制御データを蓄積する。
【００３５】
アダプタ装置３１は、例えば次のような構成を有するコンピュータである。受信部３２、送信部３３及び制御部３４は、メモリ３５等に保存されたプログラムとそのプログラムを実行するＣＰＵやＩ／Ｏ等により実現される。また、アダプタ装置３１は、第１空調機３０の内部に設けられた装置であってもよいし、第１空調機３０の制御部の一部として組み込まれていてもよい。或いは、アダプタ装置３１は、独立した装置として複数の空調機に有線又は無線で接続されていてもよい。
【００３６】
なお、上述のアダプタ装置３１の構成は一例であり、上記構成に限定されない。
【００３７】
１．５．第２空調機のデータ送信装置
図５に示すデータ送信装置５０は、第２空調機４０のデータ送信装置であり、第２空調機４０の通信線５の一ノードとして配されている。データ送信装置５０は、ルーター等のネットワークインターフェース機器を介してネットワーク６０及び運転監視装置１０に通信可能に設置されている。
【００３８】
データ送信装置５０は、受信部５２と、送信部５３と、制御部５４と、メモリ５５とを備える。受信部５２は、ネットワーク６０を介して運転監視装置１０から制御データやその他所定のデータを受信する。受信部５２はまた、電力計測器４１から各第２空調機４０の消費電力量データを受信する。制御部５４は、受信した消費電力量データをメモリ５５に蓄積させ、蓄積された消費電力量データを運転監視装置１０に送信させる等、データの送受信の制御を行う。メモリ５５は、消費電力量データを蓄積する。
【００３９】
データ送信装置５０は、例えば次のような構成を有するコンピュータである。受信部５２、送信部５３及び制御部５４は、メモリ５５等に保存されたプログラムとそのプログラムを実行するＣＰＵやＩ／Ｏ等により実現される。
【００４０】
なお、上述のデータ送信装置５０の構成は一例であり、上記構成に限定されない。
【００４１】
１．６．端末機器
図７は、端末機器７０の構成例を示す。端末機器７０は、ＣＰＵ７１、ＲＡＭ７２、ＲＯＭ７３、通信部７４、入力部７５、表示部７６、記憶部７７、ドライブ７８等を含むコンピュータである。
【００４２】
ＣＰＵ７１は、各種アプリケーションプログラム等を実行する制御演算ユニットである。ＲＡＭ７２は、ＣＰＵ７１の処理において実行されるプログラム、及びプログラム処理において適宜変化するパラメータの格納エリア、ワーク領域として使用される。ＲＯＭ７３は、ＣＰＵ７１が実行するプログラム、或いは演算パラメータとしての固定データを格納する。通信部７４は、運転監視装置１０と通信する。通信部７４は、データをパケット化して送信し、或いはネットワーク６０を介して運転監視装置１０等からパケットを受信する処理を実行する。
【００４３】
入力部７５は、ＣＰＵ７１に対する各種の指令をユーザーによる操作により入力する。表示部７６は、例えば液晶ディスプレイであり、各種情報をテキスト又はイメージ等により表示する。記憶部７７は、情報記憶媒体としての例えばフラッシュメモリを有する。
【００４４】
端末機器７０は、サーバー機能も有する運転監視装置１０に対しクライアント端末機器として機能し、Ｗｅｂブラウザを起動させ、運転監視装置１０のＵＲＬにアクセスする。このアクセスにより、無駄運転データを取得する。具体的には、入力部７５により、ユーザーの識別情報等を入力し、無駄運転データを表示部７６に表示する。
【００４５】
端末機器７０は、パーソナルコンピュータ、携帯電話、ＰＤＡ（Personal Data Assistant）等である。
【００４６】
なお、上述の端末機器７０の構成は一例であり、上記構成に限定されない。
【００４７】
１．７．運転監視装置による処理
図８及び図９は、本実施形態に係る空調機の運転監視システム１による処理の流れを示す。図８（ａ）は、第２空調機４０の消費電力量データを受信し、無駄運転データを生成・格納する処理の流れを示す。図８（ｂ）は、第１空調機３０の運転データを受信し、無駄運転データを生成・格納する処理の流れを示す。図８（ｃ）は、格納した無駄運転データを端末機器７０に送信する処理の流れを示す。
【００４８】
１．７．１．消費電力量データによる無駄運転データの生成処理
Ｓ１０１ステップ：まず、運転監視装置１０の受信部１１は、データ送信装置５０からのアクセスを受け、消費電力量データを受信する。なお、このアクセスは、所定時間毎（例えば、３時間毎）に行われるよう設定されている。受信部１１により受信した消費電力量データは、ＣＰＵ１９の制御によりデータベース２０の消費電力量データ格納部２１に格納される。
【００４９】
Ｓ１０２ステップ：電力消費判定部１３は、格納された基準消費電力量と消費電力量データとを読み出す。
【００５０】
Ｓ１０３ステップ：電力消費判定部１３は、消費電力量データが基準消費電力量である所定値以下であるかどうかを判定する。所定値を超える場合はＳ１０４ステップに進み、所定値以下の場合は処理を終了する。
【００５１】
Ｓ１０４ステップ：データ生成部１５は、電力消費判定部１３の上記判定を受けて、無駄運転データを生成し、無駄運転データ格納部２５に格納する。
【００５２】
なお、上記処理において、Ｓ１０２〜Ｓ１０４ステップの無駄運転データの生成処理は、所定時間毎或いは所定量の消費電力量データが蓄積されたときに自動的に行われるようにしてもよい。
【００５３】
上記処理の流れは一例であり、その処理手順は上記のものに限定されるものではない。
【００５４】
１．７．２．運転データによる無駄運転データの生成処理
Ｓ１１１ステップ：まず、運転監視装置１０の受信部１１は、アダプタ装置３１からのアクセスを受け、運転データを受信する。なお、このアクセスは、所定時間毎（例えば、３時間毎）に行われるよう設定されている。受信部１１により受信した運転データは、ＣＰＵ１９の制御によりデータベース２０の運転データ格納部２４に格納される。
【００５５】
Ｓ１１２ステップ：運転データ判定部１４は、格納された基準運転データと運転データとを読み出す。
【００５６】
Ｓ１１３ステップ：運転データ判定部１４は、運転データが基準運転データである所定範囲内かどうかを判定する。ここで所定範囲内とは、運転データのうち消費電力量であれば所定値以下であること、設定温度であれば冷房運転時は所定値以上、暖房運転時は所定値以下であること、電源のＯＮ／ＯＦＦであれば基準値（ＯＮ／ＯＦＦ）と一致していることをいう。所定範囲内であればＳ１１４ステップに進み、所定値範囲内であれば処理を終了する。
【００５７】
Ｓ１１４ステップ：データ生成部１５は、運転データ判定部１４の上記判定を受けて、無駄運転データを生成し、無駄運転データ格納部２５に格納する。
【００５８】
なお、上記処理において、Ｓ１１２〜Ｓ１１４ステップの無駄運転データの生成処理は、所定時間毎或いは所定量の運転データが蓄積されたときに自動的に行われるようにしてもよい。
【００５９】
上記処理の流れは一例であり、その処理手順は上記のものに限定されるものではない。
【００６０】
１．７．３．無駄運転データの送信処理
Ｓ１２１ステップ：まず、運転監視装置１０の受信部１１は、端末機器７０からのアクセスを受信する。
【００６１】
Ｓ１２２ステップ：上記アクセスを受けて、ＣＰＵ１９は、アクセスしているユーザーの識別情報や施設３の識別情報よりアクセスの主体を識別し、対象となる空調機３０，４０の無駄運転データ格納部２５を参照する。
【００６２】
Ｓ１２３ステップ：ＣＰＵ１９は、当該ユーザー又は施設３の無駄運転データ格納部２５にデータがあるかどうかを判定する。データがある場合はＳ１２４ステップに進み、データがない場合は処理を終了する。
【００６３】
Ｓ１２４ステップ：ＣＰＵ１９は、無駄運転データを読み出し、送信部１２を介して端末機器７０に送信する。
【００６４】
なお、上記処理の流れは一例であり、その処理手順は上記のものに限定されるものではない。
【００６５】
１．８．第一実施形態の効果
本実施形態に係る空調機の運転監視システム１によれば、運転データを直接収集できる第１空調機３０のみならず、運転データを直接収集できない第２空調機４０の消費電力量を収集し、空調機の無駄運転データを生成し、ユーザーに送信できる。これにより、空調機の種類や管理環境にかかわらず、空調機の無駄運転を特定できる。
【００６６】
２．第二実施形態
２．１．構成
図１０は、本発明の第二実施形態に係る運転監視システム１００を示す。なお、第一実施形態と同一の構成及び機能を有する部位については、同一の符合を付し、その説明は省略する。
【００６７】
本実施形態の運転監視システム１００は、第２空調機４０の空調対象空間の室温を計測する室温計測器１４２を備える点において第一実施形態に係る運転監視システム１と異なる。なお、図において、室温計測器１４２は各第２空調機４０に取り付けられているが、空調対象空間の室温を計測できるものあれば複数の第２空調機４０に対し一つの室温計測器１４２を備えるようにしてもよい。
【００６８】
更に、図１１に示すように、本実施形態に係る運転監視装置１１０は、設定温度推定部１１６を備える点において、第一実施形態に係る運転監視装置１０と異なる。また、本実施形態に係るデータベース１２０は、室温データ格納部１２６を備える点において第一実施形態に係るデータベース１２０と異なる。室温データは、少なくとも対応する第２空調機の識別情報と、室温の計測時間を含む。
【００６９】
２．２．処理
以下、図１１及び図１２を参照しながら、本実施形態に係る運転監視装置１１０の無駄運転データの生成処理の流れを説明する。
【００７０】
Ｓ２０１ステップ：まず、運転監視装置１１０の受信部１１は、データ送信装置５０からのアクセスを受け、消費電力量データを受信する。なお、このアクセスは、所定時間毎（例えば、３時間毎）に行われるよう設定されている。受信部１１により受信した消費電力量データは、ＣＰＵ１９の制御によりデータベース１２０の消費電力量データ格納部２１に格納される。
【００７１】
Ｓ２０２ステップ：電力消費判定部１３は、格納された基準消費電力量と消費電力量データとを読み出す。
【００７２】
Ｓ２０３ステップ：電力消費判定部１３は、消費電力量データが基準消費電力量である所定値以下であるかどうかを判定する。所定値を超える場合はＳ２０４ステップに進み、所定値以下の場合はＳ２０５ステップに進む。
【００７３】
Ｓ２０４ステップ：データ生成部１５は、電力消費判定部１３の上記判定を受けて、無駄運転データを生成し、無駄運転データ格納部２５に格納する。
【００７４】
Ｓ２０５ステップ：設定温度推定部１１６は、電力消費判定部１３の上記判定を受けて、当該消費電力量を計測した時間の室温データを、室温データ格納部１２６より読み出す。これにより、この室温を当該第２空調機４０の設定温度と推定する。なお、この場合、消費電力量データが所定値以下であることが所定回数（又は所定期間）続いたかをカウントし、続いた場合のみ設定温度を推定するように判定処理をしてもよい。
【００７５】
Ｓ２０６ステップ：運転データ判定部１４は、格納された基準運転データのうち基準設定温度を読み出す。
【００７６】
Ｓ２０７ステップ：運転データ判定部１４は、推定された設定温度値が、基準設定温度である所定範囲内かどうかを判定する。具体的には、冷房運転時は所定値以上であるか、暖房運転時は所定値以下であるかを判定する。所定範囲内でない場合はＳ２０８ステップに進み、所定範囲内であれば処理を終了する。
【００７７】
Ｓ２０８ステップ：データ生成部１５は、運転データ判定部１４の上記判定を受けて、無駄運転データを生成し、無駄運転データ格納部２５に格納する。
【００７８】
生成された無駄運転データは、第一実施形態と同様の送信処理により端末機器７０に送信される。
【００７９】
なお、上記処理において、Ｓ２０２〜Ｓ２０８ステップの無駄運転データの生成処理は、所定時間毎或いは所定量の消費電力量データが蓄積されたときに自動的に行われるようにしてもよい。
【００８０】
上記処理の流れは一例であり、その処理手順は上記のものに限定されるものではない。
【００８１】
２．３．第二実施形態の効果
本実施形態に係る空調機の運転監視システム１００によれば、第一実施形態の効果に加えて、設定温度データを直接収集できない第２空調機４０の設定温度を推定し、空調機の無駄運転データを生成し、ユーザーに送信できる。これにより、消費電力量だけでなく設定温度の観点からの無駄運転を特定できる。
【産業上の利用可能性】
【００８２】
本発明は、空調機の種類や管理環境にかかわらず空調機の無駄な運転を特定できる運転監視装置、運転監視システム及び運転監視方法として有用である。
【図面の簡単な説明】
【００８３】
【図１】本発明の第一実施形態に係る運転監視システムの全体構成図
【図２】本発明の第一実施形態に係る運転監視装置の構成図
【図３】本発明の第一実施形態に係るデータベースの構成図
【図４】本発明の第一実施形態に係るデータベースの構成図
【図５】本発明の第一実施形態に係るアダプタ装置の構成図
【図６】本発明の第一実施形態に係るデータ送信装置の構成図
【図７】本発明の第一実施形態に係る端末機器の構成図
【図８】本発明の第一実施形態に係る運転監視装置の処理の流れを示す図
【図９】本発明の第一実施形態に係る運転監視装置の処理の流れを示す図
【図１０】本発明の第二実施形態に係る運転監視システムの全体構成図
【図１１】本発明の第二実施形態に係る運転監視装置の構成図
【図１２】本発明の第二実施形態に係る運転監視装置の処理の流れを示す図
【符号の説明】
【００８４】
１              運転監視システム
２              遠隔監視センター
３              施設
４              空調用通信線
５              通信線
１０            運転監視装置
１１            受信部（データ取得部）
１２            送信部（出力部）
１３            電力消費判定部（第１判定部）
１４            運転データ判定部（第２判定部）
１５            データ生成部
１７            入力部
１８            表示部（出力部）
１９            ＣＰＵ
２０            データベース
２１            消費電力量データ格納部
２２            基準消費電力量格納部
２３            基準運転データ格納部
２４            運転データ格納部
２５            無駄運転データ格納部
３０            第１空調機
３１            アダプタ装置（制御部）
３２            受信部
３３            送信部
３４            制御部
３５            メモリ
４０            第２空調機
４１            電力計測器
５０            データ送信装置（送信装置）
５２            受信部
５３            送信部
５４            制御部
５５            メモリ
６０            ネットワーク
７０            端末機器
７１            ＣＰＵ
７２            ＲＡＭ
７３            ＲＯＭ
７４            通信部
７５            入力部
７６            出力部
７７            記憶部
１００          運転監視システム
１１０          運転監視装置
１１６          設定温度推定部
１２０          データベース
１２６          室温データ格納部
１４２          室温計測器
【図１】
2010033279.tif 000003
【図２】
2010033279.tif 000004
【図３】
2010033279.tif 000005
【図４】
2010033279.tif 000006
【図５】
2010033279.tif 000007
【図６】
2010033279.tif 000008
【図７】
2010033279.tif 000009
【図８】
2010033279.tif 000010
【図９】
2010033279.tif 000011
【図１０】
2010033279.tif 000012
【図１１】
2010033279.tif 000013
【図１２】
2010033279.tif 000014